(57)【要約】【課題】  本発明は、簡単な構造で、施錠装置付き引出し装置と施錠装置なし引出し装置の２種類の在庫を持つ必要がない引出し装置を提供することを課題とする。【解決手段】  什器に配設される左右一対の支持材と、該支持材に、前後方向に引き出し可能に支持された引出し本体と、該引出し本体の前面に設けられる施錠装置とで構成され、該施錠装置を引出し本体の前面に対して着脱自在とすることによって、施錠装置なしの引出し装置と施錠装置付きの引出し装置とで引出し本体を共用可能にする。【選択図】図７
2015086507.tif 000002
【特許請求の範囲】
【請求項１】
什器に配設される左右一対の支持材と、該支持材に、前後方向に引き出し可能に支持された引出し本体と、該引出し本体の前面に設けられる施錠装置とで構成され、該施錠装置を引出し本体の前面に対して着脱自在とすることによって、施錠装置なしの引出し装置と施錠装置付きの引出し装置とで引出し本体を共用可能としたことを特徴とする引出し装置。
【請求項２】
施錠装置は、引出し本体の前面体に係合する係止片と施錠装置を引出し本体の前面体に固定する螺合手段を有し、引出し本体の前面体には、切り欠きや貫通孔ではない係合部と、施錠装置の螺合手段に対応した固定孔が設けられ、係合片が係合部に係合することによって、施錠装置が引出し本体の前面体の取り付け位置で保持可能とされるとともに、前記固定孔を使用して引出し本体の前面体に螺合固定されることを特徴とする請求項１に記載の引出し装置。
【請求項３】
係合部は引出し本体の前面体の上部の取手部に設けられ、該取手部は、引出し本体の前面体の前面板の上部から前方に突出する上面部と、上面部の前方部から下方に垂れ下がる前部と、前部の下部から後方に突出する下面部と、該下面部の突出端と前面板間に所定の間隔が開く位置から上方に立ち上がる手掛かり片とで形成されるものであって、手掛かり片は、引出しを前後方向に引き出す際の手掛かりとされるとともに施錠装置の係合部とされ、施錠装置の本体ケースの上面に上方に突出して設けられた係止片が手掛かり片に係合するように、施錠装置を取手部の下方より挿入することによって、施錠装置が引出し本体の前面体に保持状態で装着されることを特徴とする請求項２に記載の引出し装置。
【発明の詳細な説明】
【技術分野】
【０００１】
本発明は、特にオフィスなどの執務空間で使用されるデスク、キャビネット等の什器に装着される引出し装置に関するものである。
【背景技術】
【０００２】
引出し装置には、施錠装置がオプションとして設定され、施錠装置付きと施錠装置なしの引出し装置を使い分けることが多い。
通常、什器は、発注から納品までの期間を短くするため、生産者は、ある程度組み立てられた部材単位で在庫を行い、製品の注文に合わせて前記部材を選択し、選択した部材を組み立てた上で出荷する。
従来の施錠装置付きの引出し装置の場合、引出し本体に施錠装置取り付け用の大きな開口孔（窓穴）を設け、その孔を使用して施錠装置を取り付けているので、施錠装置付きの引出し装置用の引出し本体は施錠装置付き専用品となっていた。（例えば特許文献１）
その為、生産者は、施錠装置付き引出し装置と、施錠装置なし引出し装置の２種類の引出し装置の在庫を用意して出荷に対応する必要があり、引出し装置の在庫数量が多くなる問題があった。
また、施錠装置なしの引出し装置が設置された什器を納品し、納品先で該什器を使用し始めた後、施錠装置が必要となった場合、施錠装置付き引出し装置に差し替えるといった大掛かりな対応が必要であった。
【先行技術文献】
【特許文献】
【０００３】
【特許文献１】特許第４７７３９１８号公報
【発明の概要】
【発明が解決しようとする課題】
【０００４】
本発明は、簡単な構造で、施錠装置付き引出し装置と施錠装置なし引出し装置の２種類の在庫を持つ必要がない引出し装置を提供することを課題とする。
【課題を解決するための手段】
【０００５】
上記課題を解決する為、本発明が第１の手段として構成したところは、什器に配設される左右一対の支持材と、該支持材に、前後方向に引き出し可能に支持された引出し本体と、該引出し本体の前面体に設けられる施錠装置とで構成され、該施錠装置を引出し本体の前面体に対して着脱自在とすることによって、施錠装置なしの引出し装置と施錠装置付きの引出し装置とで引出し本体を共用可能としたものである。
【０００６】
上記課題を解決する為、本発明が第２の手段として構成したところは、前記第１の手段に加え、施錠装置は、引出し本体の前面体に係合する係止片と施錠装置を引出し本体の前面体に固定する螺合手段を有し、引出し本体の前面体には、切り欠きや貫通孔ではない係合部と、施錠装置の螺合手段に対応した固定孔が設けられ、係合片が係合部に係合することによって、施錠装置が引出し本体の前面体の取り付け位置で保持可能とされるとともに、前記固定孔を使用して引出し本体の前面体に螺合固定されるものである。
【０００７】
上記課題を解決する為、本発明が第３の手段として構成したところは、前記第２の手段に加え、係合部は引出し本体の前面体の上部の取手部に設けられ、該取手部は、引出し本体の前面体の前面板の上部から前方に突出する上面部と、上面部の前方部から下方に垂れ下がる前部と、前部の下部から後方に突出する下面部と、該下面部の突出端と前面板間に所定の間隔が開く位置から上方に立ち上がる手掛かり片とで形成されるものであって、手掛かり片は、引出しを前後方向に引き出す際の手掛かりとされるとともに施錠装置の係合部とされ、施錠装置の本体ケースの上面に上方に突出して設けられた係止片が手掛かり片に係合するように、施錠装置を取手部の下方より挿入することによって、施錠装置が引出し本体の前面体に保持状態で装着されるものである。
【発明の効果】
【０００８】
本発明の第１の手段としての構成によると、引出し本体を施錠装置付き用と施錠装置なし用の２種類を用意する必要がないので引出し本体の在庫量を少なくすることができる。また、施錠装置なしの引出し装置と施錠装置付きの引出し装置とで引出し本体が共用であるため、施錠装置なしで使用している什器に、後から施錠装置を追加することも容易である。
【０００９】
本発明の第２の手段としての構成によると、第１の手段の効果に加え、施錠装置の取り付けの際、施錠装置は係止片によって引出し本体の前面体に保持されるので、施錠装置をネジ止めする時に施錠装置を手で押えておく必要がないため施錠装置の取り付けが容易である。
さらに、施錠装置は、係止片での保持に加え、引出し本体の前面体にネジにて固定されるので、確実に取り付けができ、容易に外れることがないばかりか、施錠装置は、ネジと係止片とが協同して前面体に保持されるので、ネジの本数を少なくすることができ、施錠装置の取り付け作業効率がよい。
また、係合部は、切り欠きや貫通孔ではないことと、施錠装置のネジの本数を少なくすることができるので、施錠装置なしの引出し本体のときに露呈するのが限られた固定孔だけのため見栄えへの影響が小さく施錠装置付き用引出し本体と施錠装置なし用引出し本体との共用が容易である。
【００１０】
本発明の第３の手段としての構成によると、第１の手段、第２の手段の効果に加え、取手部を利用して施錠装置を装着するので、施錠装置なしの引出し本体と施錠装置付きの引出し本体とで引出し本体が共用容易である。
【図面の簡単な説明】
【００１１】
【図１】本発明の引出し装置が設けられたデスクの正面図である。
【図２】本発明の図１の左側面図である。
【図３】本発明の図１の右側面図である。
【図４】図１のＡ−Ａ線断面図である。
【図５】図４の要部拡大図である。
【図６】図１のＢ−Ｂ線断面図の要部拡大図である。
【図７】図５のＥ部拡大図である。
【図８】図６のＦ部拡大図である。
【図９】図２のＤ−Ｄ線断面図における要部拡大図である。
【図１０】図１のＣ−Ｃ線断面図における要部拡大図である。
【図１１】右側の支持材の正面図である。
【図１２】右側の支持材の左側面図である。
【図１３】右側の支持材の平面図である。
【図１４】解錠した状態の施錠装置の正面図である。
【図１５】解錠した状態の施錠装置の背面図である。
【図１６】解錠した状態の施錠装置の平面図である。
【図１７】施錠装置の右側面図である。
【図１８】図１４のＡ−Ａ線断面図である。
【図１９】施錠した状態の施錠装置の図１８に相当する断面図である。
【図２０】図１９の状態の施錠装置を引出し本体に取り付けた時の要部拡大断面図である。
【図２１】施錠放置を引出し本体に取り付けた時の要部拡大正面図である。
【図２２】図２１の状態から施錠装置を取り外した時の要部拡大正面図である。
【発明を実施するための形態】
【００１２】
什器に配設される左右一対の支持材と、該支持材に、前後方向に引き出し可能に支持された引出し本体と、該引出し本体の前面に設けられる施錠装置とで構成される引出し装置であって、施錠装置は、引出し本体の前面体に係合する係止片と施錠装置を引出し本体の前面体に固定する螺合手段を有し、引出し本体の前面体には、係合部と施錠装置の螺合手段に対応した固定孔が設けられ、係合部は、引出し本体の前面体の上部の取手部に設けられ、取手部は、引出し本体の前面体の前面板の上部から前方に突出する上面部と、上面部の前方部から下方に垂れ下がる前部と、前部の下部から後方に突出する下面部と、該下面部の突出端と前面板間に所定の間隔が開く位置から上方に立ち上がる手掛かり片とで形成されるものであって、手掛かり片は、引出しを前後方向に引き出す際の手掛かりとされるとともに施錠装置の係合部とされ、施錠装置の施錠装置の本体ケースの上面に上方に突出して設けられた係止片が手掛かり片に係合するように、施錠装置を取手部の下方より挿入することによって、施錠装置が引出し本体の前面体に保持状態で装着されるように構成し、施錠装置なしの引出し装置と施錠装置付きの引出し装置とで引出し本体を共用可能とした引出し装置である。
【実施例】
【００１３】
以下、実施例を添付図面に基づいて詳述する。
図１〜図６、において、符号１００は、執務室などで使用される本発明のデスクを示しデスク１００は、天板２００の左右端部下面に取付けられた逆L字型の左右脚体３００、３００と、天板２００の後部下面で、左右の脚体３００、３００の間を連結する幕板５００より構成されている。
そして、天板２００の下面に、デスク前方に引き出される引出し装置１が設置されている。
【００１４】
引出し装置１は、引出し本体２と、引出し本体２の両側に配置される左右１対の支持材３と、引出し本体２の前面に設けられる施錠装置４とで構成される。
【００１５】
引出し本体２は、所定の大きさに設定された底板２１の両端にそれぞれ立設された側板２２、２２と、底板２１の後端に立設された背板２３と、底板２１の前端に立設された前面体２４とで薄型容器状に形成されている。
【００１６】
背板２３と底板２１と前面体２４は、曲げ加工などにより、薄鋼板で一体的に成形されている。
側板２２、２２は、背板２３より後方に延伸する長さに設定され、側板２２、側板２２のそれぞれの外側面にガイドレール２２１、２２１設けられている。
ガイドレール２２１は、側板２２の上端から外側に向かって延伸する上面２２１ａと、上面２２１ａの突出先端から下方に向かって垂下する垂直面２２１ｂと、垂直面２２１ｂの下端から内側に向かって延伸する下面２２１ｃとからなり、側板２２とガイドレール２２１が薄鋼板で一体的に成形されている。
側板２２、２２は、背板２３と底板２１と前面体２４のそれぞれに点溶接されることによって取り付けられている
尚、ガイドレール２２１、２２１は、後述する支持材３、３に、合成樹脂製摺動ガイド部材２２１ｄを介して挟持保持され、引出し本体２を前後方向に摺動可能にするものである。
【００１７】
前面体２４は、前面板２４１と、前面板２４１の前面上部側に設けられる取手部２４２とで形成されている。
取手部２４２は、前面板２４１の上端部から前方に突出する上面部２４２ａと、上面部２４２ａの前端部から下方に垂れ下がる前部２４２ｂと、前部２４２ｂの下端部から後方に突出する下面部２４２ｃと、下面部２４２ｃの突出した後方端部の該後方端部と前面板２４１との間に引出し本体２を前後摺動操作する際の指が入る程度の隙間が設けられる位置から上方に立ち上がる手掛かり片２４２ｄとで形成されている。
【００１８】
したがって、背板２３と底板２１と前面板２４１、取手部２４２は、前述のとおり、薄鋼板で一体的に成形されていることとなる。
【００１９】
取手部２４２の両端には、一対の合成樹脂製のエンドキャップ２４３が装着され、取手部２４２の端部に服などが引掛かかることを防止するとともに、取手部２４２の両端部付近の見栄えを向上させている。
【００２０】
支持材３は、正面視コの字状を成し前後方向縦長に形成され、コの字状の上面が取付面３１とされ、コの字状の垂直面が側面３２とされ、コの字状の下面が載置摺動面３３とされる。
そして、支持材２は、一対で使用され、一対の支持材３、３のそれぞれのコの字の開口側が向かい合うように天板２００の下面に螺合にて固定される。
取付面３１には、支持材３を天板２００の下面に螺合するための取付孔３１ａ、３１ａが設けられ、側面３２の前方端寄りには後述する施錠装置４の施錠杆４３が挿入する施錠孔３２ａが設けられ、載置摺動面３３の上面には合成樹脂製の第１摺動体３３ａが取り付けられている。
【００２１】
第１摺動体３３ａは、引出し本体２のガイドレール２２１、２２１の下面２２１ｃに接触し摺動を清らかにするとともに、引出し本体２を引き出した時に、ガイドレール２２１、２２１の後部側に設けられた第２摺動体２２１ｄ、２２１ｄに接触し、引出し本体２が支持材３から前方に脱落しないようにするものである。
【００２２】
第２摺動体２２１ｄは合成樹脂製であって、第２摺動体２２１ｄの内面がガイドレール２２１の上面２２１ａ、垂直面２２１ｂ、下面２２１ｃに接するようにコの字状を成し、第２摺動体２２２の外側の面が、支持材３の取付面３１、側面３２、載置摺動面３３に接触し引出し本体２の上下方向の動きを規制するとともに引出し本体２の摺動を清らかにするものである。
【００２３】
錠前装置４は、本体ケース４１と、シリンダ錠４２と、施錠杆４３と、表示部材４４とで構成されている。
【００２４】
本体ケース４１は、略横長直方体を成し、シリンダ錠４２が装着される収容部４１１と、前面にシリンダ錠４２の正面の鍵穴４２１を露呈させる錠前開口部４１２と、錠前開口部４１２の右横側に引出し本体２の施錠状態を表示する表示窓４１３と、後面に前面に錠前装置４を引出し本体２に固定するための螺合孔４１４と、側面に施錠杆４３を通すための切り欠き部４１５と、上面に上方に向かって突設する係合片４１６、４１６、４１６と、係合片４１６の前方で本体ケース４１の前面上端部から上方に向かって突設する補助係合片４１７とから構成され、合成樹脂製にて一体的に形成されている。
【００２５】
係合片４１６は、本体ケース４１の上面４１８から立ち上がる弾性垂直部４１６ａと、弾性垂直部４１６ａの上部で前方に向かって突出する係合部４１６ｂと係合部４１６ｂの上部から上方に延伸する案内部４１６ｃとから成り、案内部４１６ｃは、前面側が側面視において上部が後方に倒れた傾斜面を成した略三角形に形成されている。
【００２６】
シリンダ錠４２は、前面、後面が円形で前後方向に長い円筒形を成し、前面に鍵穴４２１を備え、前記、本体ケース４１の収容部４１１に鍵穴４２が錠前開口部４１２から臨むように装着されている。
【００２７】
シリンダ錠４２の後端部には、シリンダ錠４２の施解錠操作に連動して、左右方向に移動するように板状の施錠杆４３が装着され、施錠杆４３は、本体ケース４１の前記切り欠き部４１５から突出する長さに設定されている。
【００２８】
表示部材４４は、施錠杆４３に嵌合する嵌合片４４１、４４１と、施錠杆４３に設けられた嵌合孔に嵌合する嵌合ピン４４２と、前記嵌合部４４１から前方に延伸する表示部４４３と、表示部４４３の前面に貼り付けられ前記表示窓４１３から臨む表示体４４４とで構成される。
表示部材４４は、シリンダ錠４２と本体ケース４１の前記切り欠き部４１５間に位置する施錠杆４３に、嵌合片４４１、４４１と嵌合ピン４４２で嵌合して取り付けられ、施錠杆４３の左右方向に移動に連動して左右方向に移動する。
表示体４４４はシール状のものであって、通常、施錠状態で表示窓４１３から赤色が臨み、解錠状態で表示窓４１３から青色が臨むように設定される。
【００２９】
次に、引出し装置１の組み立て方法を詳述する。
まず、支持材３、３を天板２００の下面の所定の位置に、取付面３１の取付孔３１ａ、３１ａを使用して螺合する。
【００３０】
このように取り付けられた一対の支持材３、３の正面から、引出し本体２のガイドレール２２１、２２１の後端を差し込むが、この時、一旦、ガイドレール２２１、２２１の第２摺動体２２２、２２２が、載置摺動面３３の第１摺動体３３ａを乗り越えるように、引出し本体２の後方を持ち上げながら差し込み、第２摺動体２２２、２２２が第１摺動体３３ａを乗り越えた後、引出し本体２を水平の戻し、その状態のまま引出し本体２を後方に押し込むことで引出し本体２が支持枠３、３に前後方向に摺動可能に取り付けられる。
【００３１】
施錠装置４は、本体ケース４１の後面上部付近を、引出し本体２の前面板２４１に当接させた上で、係合片４１６、４１６、４１６が引出し本体２の手掛かり片２４２ｄと前面板２４１の間に下方から差込まれるように施錠装置４を押し上げると、係合片４１６の案内部４１６ｃの前面側が手掛かり片２４２ｄに当接し、この状態から更に施錠装置４を押し上げると、案内部４１６ｃの前面側には傾斜面があるから、手掛かり片２４２ｄに押されるように、案内部４１６ｃの前面側傾斜に沿って、弾性垂直部４１６ａが弾性変形しながら係合片４１６は後方に倒れていく。
そして、案内部４１６ｃが、下面部２４２ｃを乗り越えると、弾性垂直部４１６ａは垂直状態に戻り、係合部４１６ｂが下面部２４２ｃに係合し、施錠装置４は、下方側に容易に外れないように装着されることになる。
【００３２】
したがって、本体ケース４１の上面４１８と係合片４１６の係合部４１６ｂの下端との寸法は、手掛かり片２４２ｄの高さと略同じとされ、係合片４１６の弾性垂直部４１６ａの前面と本体ケース４１の後面との寸法は、手掛かり片２４２ｄと前面板２４１との間隔と略同じにされる。こうすることで、施錠装置４は、前面体２４にガタツキなどを生じることなく確実に装着できるとともに、装着状態が保持されるので、組み立て時に装着後の施錠装置４に手を添える必要がなく簡単に組み立てることができる。
【００３３】
尚、施錠装置４の装着状態で、本体ケース４１の補助係合片４１７は、取手部２４２の前部２４２ｂの前方で前部２４２ｂに当接した状態となるように設定されている。そのため、係合片４１６と補助係合片４１７の協同で取手部２４２に係合保持することもできる。
【００３４】
そして、施錠装置４が取手部２４２に装着された状態で、施錠装置４を右側にむかって押し込むと、施錠装置４は、取手部２４２に沿ってスライド移動する。そして本体ケース４１の右側面が右側のエンドキャップ２４２ｄに当接したところまで移動すると、施錠装置４の取り付け位置となる。
このように、施錠装置４は取手部２４２に沿って移動させることが可能であるから、施錠装置４の組み立てが簡単であるばかりか、引出し本体２の前面体２４に施錠装置４の位置決め用の切り欠きや開口孔などを設ける必要がない。
【００３５】
そして、この状態で、前面体２４の前面板２４１には、本体ケース４１の螺合孔４１４に対応する固定孔２４１ａがあらかじめ設けられており、この固定孔２４１ａ使用して、前面板２４１の裏面から固定螺子４００にて螺合し施錠装置４の最終固定を行う。
【００３６】
施錠装置４が装着された引出し本体２を後方に摺動させ、完全に収容した状態でシリンダ錠４２の鍵穴４２１に鍵４０１を差込み右に回転させると、この回転に連動して、施錠杆４３が右側に摺動移動する。そして施錠杆４３の右側先端４３ａが支持材３の施錠孔３２ａに挿入し、さらに鍵を右に回転させると右側先端３３ａが支持材３の施錠孔３２ａを貫通した状態となる。この状態で、引出し本体２は前後方向の摺動が規制され鍵４０１をシリンダ錠４２から抜くと施錠されたことになる。当然のごとく解錠は鍵４０１を左に回すことによって行う。
【００３７】
前述のとおりに前面体２４は構成されているので、施錠装置４が装着されていない状態の前面体２４の前面板２４１には、螺合用の丸４ｍｍ程度の小さな固定孔２４１ａのみが露呈するだけであり、また前面体２４の取手部２４２に施錠装置４は係合するので、施錠装置４を係合するための切り欠きや貫通孔が必要ない。そのため、施錠装置４が装着されていない状態の引出し本体２をそのまま使用しても意匠上も使用上も不都合となることがない。よって引出し本体２は、施錠装置付きの場合と施錠装置なしの場合とで共用することが可能である。
【産業上の利用可能性】
【００３８】
以上のように、本発明は、什器に設置される引出し装置に関し、簡単な構造で施錠装置なしの引出し装置と施錠装置付きの引出し装置とで引出し本体を共用可能なので、オフィス、学校、病院等で使用される什器に広く利用することができる。
【符号の説明】
【００３９】
１００      デスク
２００      天板
３００      脚体      
５００      幕板
１          引出し装置
２          引出し本体
２４        前面体
２４１      前面板
２４２      取手部
２４２ａ    上面部
２４２ｂ    前部
２４２ｃ    下面部
２４２ｄ    手掛かり片
３          支持材
４          施錠装置
４００      固定螺子
４１４      螺合孔
４１６      係合片
【図１】
2015086507.tif 000003
【図２】
2015086507.tif 000004
【図３】
2015086507.tif 000005
【図４】
2015086507.tif 000006
【図５】
2015086507.tif 000007
【図６】
2015086507.tif 000008
【図７】
2015086507.tif 000009
【図８】
2015086507.tif 000010
【図９】
2015086507.tif 000011
【図１０】
2015086507.tif 000012
【図１１】
2015086507.tif 000013
【図１２】
2015086507.tif 000014
【図１３】
2015086507.tif 000015
【図１４】
2015086507.tif 000016
【図１５】
2015086507.tif 000017
【図１６】
2015086507.tif 000018
【図１７】
2015086507.tif 000019
【図１８】
2015086507.tif 000020
【図１９】
2015086507.tif 000021
【図２０】
2015086507.tif 000022
【図２１】
2015086507.tif 000023
【図２２】
2015086507.tif 000024